(57)【要約】【課題】    記録マークの長さや、隣り合う記録マーク間のブランク領域の長さが、解像限界未満である場合にも、これらの記録マークおよびブランク領域を含む記録マーク列により構成されたデータを記録し、再生することができ、記録容量を大幅に増大することができる光記録ディスクに適用可能なレーザビームの再生パワーの決定方法を提供することを目的とする。【解決手段】    レーザビームＬのパワーを、推奨記録パワーＰｗ’に設定し、光記録ディスク１に、解像限界未満の長さの記録マークおよびブランク領域の少なくとも一方を含む記録マーク列を形成して、テストデータを記録するステップと、レーザビームＬのパワーを、推奨再生パワーＰｒ’に設定して、光記録ディスク１に記録されたテストデータを再生するステップと、テストデータを再生して得た再生信号の信号特性が基準条件を満たしているか否かを判定するステップと、判定結果に基づいて、レーザビームの最適再生パワーを決定するステップとを含むことを特徴とするレーザビームの再生パワーの決定方法。【選択図】      図８
2005135535.tif 000002
【特許請求の範囲】
【請求項１】
貴金属酸化物を主成分として含む分解反応層と、光吸収層とが、少なくとも誘電体層を挟んで形成された積層体を含む光記録ディスクに、解像限界未満の長さの記録マークおよびブランク領域の少なくとも一方を含む記録マーク列が形成されて、記録されたデータを再生するために照射するレーザビームの再生パワーを決定するレーザビームの再生パワーの決定方法であって、前記レーザビームのパワーを、あらかじめ決定された推奨記録パワーに設定し、前記推奨記録パワーに設定されたレーザビームを照射して、前記光記録ディスクに、解像限界未満の長さの記録マークおよびブランク領域の少なくとも一方を含む記録マーク列を形成して、テストデータを記録する第一のステップと、前記レーザビームのパワーを、あらかじめ決定された推奨再生パワーに設定して、前記光記録ディスクに、前記推奨再生パワーに設定されたレーザビームを照射して、前記光記録ディスクに記録された前記テストデータを再生する第二のステップと、前記テストデータを再生して得た再生信号の信号特性が基準条件を満たしているか否かを判定する第三のステップと、前記テストデータを再生して得た再生信号の信号特性が基準条件を満たしていないときは、前記テストデータを再生するためのレーザビームのパワーを変更し、前記テストデータを再生して得た再生信号の信号特性が基準条件を満たすときは、そのレーザビームのパワーを、最適再生パワーとして決定する第四のステップとを含むことを特徴とするレーザビームの再生パワーの決定方法。
【請求項２】
前記第三のステップが、前記テストデータを再生して得た再生信号の解像度が基準条件を満たしているか否かを判定することを特徴とする請求項１に記載のレーザビームの再生パワーの決定方法。
【請求項３】
前記第一のステップと第二のステップとの間に、前記レーザビームのパワーを、前記推奨再生パワーに設定して、前記光記録ディスクに、前記推奨再生パワーに設定されたレーザビームを照射して、前記光記録ディスクに記録された前記テストデータを再生する第五のステップと、前記テストデータを再生して得た再生信号の信号特性が基準条件を満たしているか否かを判定する第六のステップと、前記テストデータを再生して得た再生信号の信号特性が基準条件を満たしていないときは、前記テストデータを記録するためのレーザビームのパワーを変更し、前記テストデータを再生して得た再生信号の信号特性が基準条件を満たすときは、そのレーザビームのパワーを、最適記録パワーとして決定する第七のステップとを含み、前記第二のステップが、前記第七のステップで、決定された最適記録パワーで記録されたテストデータを、前記推奨再生パワーに設定されたレーザビームを照射して再生することを特徴とする請求項１または２に記載のレーザビームの再生パワーの決定方法。
【請求項４】
前記第四のステップの後に、前記第四のステップで決定された最適再生パワーのレーザビームを、前記光記録ディスクに照射して、前記光記録ディスクに記録された前記テストデータを再生する第五のステップと、前記テストデータを再生して得た再生信号の信号特性が基準条件を満たしているか否かを判定する第六のステップと、前記テストデータを再生して得た再生信号の信号特性が基準条件を満たしていないときは、前記テストデータを記録するためのレーザビームのパワーを変更し、前記テストデータを再生して得た再生信号の信号特性が基準条件を満たすときは、そのレーザビームのパワーを、最適記録パワーとして決定する第七のステップとを含むことを特徴とする請求項１または２に記載のレーザビームの再生パワーの決定方法。
【請求項５】
前記第六のステップが、前記テストデータを再生して得たベータ値が基準条件を満たしているか否かを判定することを特徴とする請求項３に記載のレーザビームの再生パワーの決定方法。
【請求項６】
貴金属酸化物を主成分として含む分解反応層と、光吸収層とが、少なくとも誘電体層を挟んで形成された積層体を含む光記録ディスクに、レーザビームを照射して、解像限界未満の長さの記録マークおよびブランク領域の少なくとも一方を含む記録マーク列を形成して、データを記録し、記録されたデータを再生するデータ記録再生装置であって、前記光記録ディスクにレーザビームを照射する照射手段と、前記レーザビームのパワーを制御する制御手段とを備え、前記制御手段は、前記レーザビームのパワーを、あらかじめ決定された推奨記録パワーに設定し、前記推奨記録パワーに設定されたレーザビームを照射させて、前記光記録ディスクに、解像限界未満の長さの記録マークおよびブランク領域の少なくとも一方を含む記録マーク列を形成して、テストデータを記録させる第一のステップと、前記レーザビームのパワーを、あらかじめ決定された推奨再生パワーに設定し、前記推奨再生パワーに設定されたレーザビームを照射させて、前記光記録ディスクに記録された前記テストデータを再生させる第二のステップと、前記テストデータを再生させて得た再生信号の信号特性が基準条件を満たしているか否かを判定する第三のステップと、前記テストデータを再生させて得た再生信号の信号特性が基準条件を満たしていないときは、前記レーザビームのパワーを変更し、前記テストデータを再生させて得た再生信号の信号特性が基準条件を満たすときに、前記基準条件を満たす再生信号が得られたときの前記レーザビームのパワーを最適再生パワーとして決定する第四のステップとに従って、前記レーザービームのパワーを制御し、前記レーザビームのパワーを、前記第四のステップで決定された前記最適再生パワーに設定して、前記光記録ディスクに記録されたデータを再生させることを特徴とするデータ記録再生装置。
【請求項７】
前記制御手段が、前記第三のステップで、前記テストデータを再生させて得た再生信号の解像度が基準条件を満たしているか否かを判定することを特徴とする請求項６に記載のデータ記録再生装置。
【請求項８】
前記制御手段が、前記第一のステップと第二のステップとの間に、前記レーザビームのパワーを、前記推奨再生パワーに設定して、前記光記録ディスクに、前記推奨再生パワーに設定されたレーザビームを照射させて、前記光記録ディスクに記録された前記テストデータを再生させる第五のステップと、前記テストデータを再生させて得た再生信号の信号特性が基準条件を満たしているか否かを判定する第六のステップと、前記テストデータを再生させて得た再生信号の信号特性が基準条件を満たしていないときは、前記テストデータを記録するためのレーザビームのパワーを変更し、前記テストデータを再生させて得た再生信号の信号特性が基準条件を満たすときは、そのレーザビームのパワーを、最適記録パワーとして決定する第七のステップとを含み、前記レーザビームのパワーを、前記第七のステップで決定された前記最適記録パワーに設定して、前記光記録ディスクにデータを記録させることを特徴とする請求項６または７に記載のデータ記録再生装置。
【請求項９】
前記制御手段が、前記第四のステップの後に、前記第四のステップで決定された最適再生パワーのレーザビームを、前記光記録ディスクに照射させて、前記光記録ディスクに記録された前記テストデータを再生させる第五のステップと、前記テストデータを再生させて得た再生信号の信号特性が基準条件を満たしているか否かを判定する第六のステップと、前記テストデータを再生させて得た再生信号の信号特性が基準条件を満たしていないときは、前記テストデータを記録するためのレーザビームのパワーを変更し、前記テストデータを再生させて得た再生信号の信号特性が基準条件を満たすときは、そのレーザビームのパワーを、最適記録パワーとして決定する第七のステップとを含み、前記レーザビームのパワーを、前記第七のステップで決定された前記最適記録パワーに設定して、前記光記録ディスクにデータを記録させることを特徴とする請求項６または７に記載のデータ記録再生装置。
【請求項１０】
前記制御手段が、前記第六のステップで、前記テストデータを再生させて得たベータ値が基準条件を満たしているか否かを判定することを特徴とする請求項８または９に記載のデータ記録再生装置。
【発明の詳細な説明】
【技術分野】
【０００１】
本発明は、光記録ディスクに記録されたデータを再生するレーザビームの再生パワーの決定方法および光記録ディスクのデータ記録再生装置に関するものであり、とくに、記録マークの長さや、隣り合う記録マーク間のブランク領域の長さが、解像限界未満である場合にも、これらの記録マークおよびブランク領域を含む記録マーク列により構成されたデータを記録し、再生することができ、記録容量を大幅に増大することができる光記録ディスクに適用可能なレーザビームの再生パワーの決定方法およびデータ記録再生装置に関するものである。
【背景技術】
【０００２】
従来より、デジタルデータを記録するための記録媒体として、ＣＤやＤＶＤに代表される光記録ディスクが広く利用されているが、近年においては、より大容量で、かつ、高いデータ転送レートを有する光記録ディスクの開発が盛んに行われている。
【０００３】
こうした光記録ディスクにおいては、データの記録・再生に用いるレーザビームの波長λを小さくするとともに、対物レンズの開口数ＮＡを大きくして、レーザビームのビームスポット径を小さく絞ることにより、光記録ディスクの記録容量の増大が図られている。
【発明の開示】
【発明が解決しようとする課題】
【０００４】
光記録ディスクにおいては、光記録ディスクに記録された記録マークの長さ、および、隣り合う記録マーク間の長さ、すなわち、記録マークが形成されていない領域（以下、「ブランク領域」という。）の長さが解像限界未満になると、光記録ディスクからデータを再生することが不可能になる。
【０００５】
解像限界は、レーザビームの波長λと、レーザビームを集束するための対物レンズの開口数ＮＡによって決定され、記録マークとブランク領域との繰り返しの周波数、すなわち、空間周波数が２ＮＡ／λ以上の場合に、記録マークおよびブランク領域に記録されたデータの読み取りが不可能になる。
【０００６】
したがって、読み取り可能な空間周波数に対応する記録マークおよびブランクの長さは、それぞれ、λ／４ＮＡ以上となり、波長λのレーザビームを、開口数ＮＡの対物レンズによって、光記録ディスクの表面に集光させるときは、λ／４ＮＡの長さの記録マークおよびブランク領域が、読み取ることができる最短の記録マークおよびブランク領域となる。
【０００７】
このように、データを再生する場合には、データの再生が可能な解像限界が存在し、再生することができる記録マークの長さおよびブランク領域の長さに制限がある。したがって、解像限界未満の長さの記録マークおよびブランク領域を形成して、データを記録しても、記録されたデータを再生することができないので、光記録ディスクに、データを記録するときに形成可能な記録マークの長さおよびブランク領域の長さが必然的に制限され、通常は、解像限界未満になるような長さの記録マークおよびブランク領域を形成して、光記録ディスクにデータを記録することがない。
【０００８】
したがって、光記録ディスクの記録容量を増大させるためには、データの再生に用いるレーザビームの波長λを短くし、あるいは、対物レンズの開口数ＮＡを大きくすることによって、解像限界を小さくし、より短い記録マークとブランク領域よりなるデータを再生することができるようにすることが要求される。
【０００９】
しかしながら、データの再生に用いるレーザビームの波長λを短くし、あるいは、対物レンズの開口数ＮＡを大きくすることには限界があり、したがって、解像限界を小さくすることによって、光記録ディスクの記録容量を増大させることには限界があった。
【００１０】
また、何らかの方法で、光記録ディスクの記録容量を増大させることができたとしても、それだけでは十分ではなく、光記録ディスクに記録されたデータを再生したときに、良好な信号特性を有する再生信号を得ることができることが必要である。
【００１１】
したがって、本発明の目的は、記録マークの長さや、隣り合う記録マーク間のブランク領域の長さが、解像限界未満である場合にも、これらの記録マークおよびブランク領域を含む記録マーク列により構成されたデータを記録し、再生することができ、記録容量を大幅に増大することができる光記録ディスクに適用可能なレーザビームの再生パワーの決定方法およびデータ記録再生装置を提供することにある。
【課題を解決するための手段】
【００１２】
本発明のかかる目的は、貴金属酸化物を主成分として含む分解反応層と、光吸収層とが、少なくとも誘電体層を挟んで形成された積層体を含む光記録ディスクに、解像限界未満の長さの記録マークおよびブランク領域の少なくとも一方を含む記録マーク列が形成されて、記録されたデータを再生するために照射するレーザビームの再生パワーを決定するレーザビームの再生パワーの決定方法であって、前記レーザビームのパワーを、あらかじめ決定された推奨記録パワーに設定し、前記推奨記録パワーに設定されたレーザビームを照射して、前記光記録ディスクに、解像限界未満の長さの記録マークおよびブランク領域の少なくとも一方を含む記録マーク列を形成して、テストデータを記録する第一のステップと、前記レーザビームのパワーを、あらかじめ決定された推奨再生パワーに設定して、前記光記録ディスクに、前記推奨再生パワーに設定されたレーザビームを照射して、前記光記録ディスクに記録された前記テストデータを再生する第二のステップと、前記テストデータを再生して得た再生信号の信号特性が基準条件を満たしているか否かを判定する第三のステップと、前記テストデータを再生して得た再生信号の信号特性が基準条件を満たしていないときは、前記テストデータを再生するためのレーザビームのパワーを変更し、前記テストデータを再生して得た再生信号の信号特性が基準条件を満たすときは、そのレーザビームのパワーを、最適再生パワーとして決定する第四のステップとを含むことを特徴とするレーザビームの再生パワーの決定方法によって達成される。
【００１３】
本発明において、光記録ディスクは、貴金属酸化物を主成分として含む分解反応層と、光吸収層とが、少なくとも誘電体層を挟んで形成された積層体を含んでいる。
【００１４】
かかる構成を有する光記録ディスクにおいては、レーザビームが照射されたときに、空洞が形成されるとともに、貴金属の微粒子が空洞内に析出することによって、分解反応層に記録マークが形成される。
【００１５】
本発明者の研究によれば、こうして、光記録ディスクにデータが記録された場合には、記録マーク列を構成する記録マークの長さや、隣り合う記録マーク間のブランク領域の長さが、解像限界未満である場合においても、レーザビームを、対物レンズを用いて、レーザビームの光入射面を介して、光記録ディスクに集光することによって、データが再生可能であることが見出されている。
【００１６】
レーザビームが照射されたときに、分解反応層内に空洞が形成されるとともに、貴金属の微粒子が空洞内に析出し、分解反応層に記録マークが形成されて、データが記録された場合に、記録マーク列を構成する記録マークの長さや、隣り合う記録マーク間のブランク領域の長さが、解像限界未満であるときでも、データを再生することができるという理由は必ずしも明らかではないが、空洞内に析出した貴金属の微粒子に、再生用のレーザビームが照射されることにより、近接場光が発生し、解像限界がなくなったためか、あるいは、空洞内に析出した貴金属の微粒子と照射されたレーザビームとの相互作用によって、解像限界が小さくなったためではないかと推測される。
【００１７】
また、本発明者の研究によれば、レーザビームが照射されたときに、分解反応層に空洞が形成されるとともに、貴金属の微粒子が空洞内に析出し、分解反応層に、解像限界未満の記録マークおよびブランク領域が形成されて、データが記録される光記録ディスクにおいては、レーザビームの再生パワーを所定のパワーより高くしなければ、記録されたデータを再生することができず、また、レーザビームの再生パワーを高くしすぎると、再生信号のＣ／Ｎ比などの信号特性が悪化することが見出されている。
【００１８】
したがって、レーザビームが照射されたときに、分解反応層に空洞が形成されるとともに、貴金属の微粒子が空洞内に析出し、分解反応層に、解像限界未満の記録マークおよびブランク領域が形成されて、記録されたデータを、所望のように、再生するためには、記録されたデータを再生するのに先立って、レーザビームの再生パワーが、記録されたデータを再生するのに適したレベルとなるように、レーザビームの再生パワーのレベルを制御することが必要になる。
【００１９】
本発明によれば、レーザビームのパワーを、あらかじめ決定された推奨記録パワーに設定し、推奨記録パワーに設定されたレーザビームを照射して、光記録ディスクに、解像限界未満の長さの記録マークおよびブランク領域の少なくとも一方を含む記録マーク列を形成して、テストデータを記録し、レーザビームのパワーを、あらかじめ決定された推奨再生パワーに設定して、光記録ディスクに、推奨再生パワーに設定されたレーザビームを照射して、光記録ディスクに記録されたテストデータを再生し、テストデータを再生して得た再生信号の信号特性が基準条件を満たしているか否かを判定し、テストデータを再生して得た再生信号の信号特性が基準条件を満たしているときは、テストデータを再生するためのレーザビームのパワーを変更し、テストデータを再生して得た再生信号の信号特性が基準条件を満たすときは、そのレーザビームのパワーを、最適再生パワーとして決定するように構成されているから、光記録ディスクに記録されたデータを再生するのに先立って、レーザビームの再生パワーを、記録されたデータを再生するのに適したレベルとなるように、所望のように制御することができ、したがって、解像限界未満の長さの記録マークおよびブランク領域が形成されて記録されたデータを、所望のように、再生することが可能となる。
【００２０】
本発明の好ましい実施態様においては、前記第三のステップが、前記テストデータを再生して得た再生信号の解像度が基準条件を満たしているか否かを判定するように構成されている。
【００２１】
再生信号の解像度は、光記録ディスクに記録されたデータを再生するときのレーザビームの再生パワーの大小によって決定されるから、テストデータを再生して得た再生信号の解像度が基準条件を満たしているか否かを基準として、レーザビームの再生パワーが最適であるか否かを判断することが好ましい。
【００２２】
本発明の好ましい実施態様においては、前記第一のステップと第二のステップとの間に、前記レーザビームのパワーを、前記推奨再生パワーに設定して、前記光記録ディスクに、前記推奨再生パワーに設定されたレーザビームを照射して、前記光記録ディスクに記録された前記テストデータを再生する第五のステップと、前記テストデータを再生して得た再生信号の信号特性が基準条件を満たしているか否かを判定する第六のステップと、前記テストデータを再生して得た再生信号の信号特性が基準条件を満たしていないときは、前記テストデータを記録するためのレーザビームのパワーを変更し、前記テストデータを再生して得た再生信号の信号特性が基準条件を満たすときは、そのレーザビームのパワーを、最適記録パワーとして決定する第七のステップとを含み、前記第二のステップが、前記第七のステップで、決定された最適記録パワーで記録されたテストデータを、前記推奨再生パワーに設定されたレーザビームを照射して再生するように構成されている。
【００２３】
本発明の別の好ましい実施形態においては、前記第四のステップの後に、前記第四のステップで決定された最適再生パワーのレーザビームを、前記光記録ディスクに照射して、前記光記録ディスクに記録された前記テストデータを再生する第五のステップと、前記テストデータを再生して得た再生信号の信号特性が基準条件を満たしているか否かを判定する第六のステップと、前記テストデータを再生して得た再生信号の信号特性が基準条件を満たしていないときは、前記テストデータを記録するためのレーザビームのパワーを変更し、前記テストデータを再生して得た再生信号の信号特性が基準条件を満たすときは、そのレーザビームのパワーを、最適記録パワーとして決定する第七のステップとを含むように構成されている。
【００２４】
本発明の好ましい実施態様によれば、かかるステップに従って、レーザビームの最適記録パワーが決定されるから、光記録ディスクにデータを記録するのに先立って、レーザビームの記録パワーを、データを記録するのに適したレベルとなるように、所望のように制御することができ、したがって、光記録ディスクに、所望のように、データを記録することが可能となる。
【００２５】
本発明の好ましい実施態様においては、前記第六のステップが、前記テストデータを再生して得たベータ値が基準条件を満たしているか否かを判定するように構成されている。
【００２６】
テストデータを再生して得たベータ値は、光記録ディスクにデータを記録するときのレーザビームの記録パワーの大小によって決定されるから、テストデータを再生して得たベータ値が基準条件を満たしているか否かを基準として、レーザビームの再生パワーが最適であるか否かを判断することが好ましい。
【００２７】
本発明において、光記録ディスクの分解反応層は、前記レーザビームが照射されたときに、前記分解反応層に主成分として含まれている前記貴金属酸化物が貴金属と酸素に分解されるのが、好ましい。
【００２８】
本発明において、光記録ディスクの分解反応層に主成分として含まれる貴金属酸化物は、とくに限定されるものではないが、酸化物の形成し易さ、近接場光の発生効率の観点から、銀、白金およびパラジウムよりなる群から選ばれる一種の貴金属を含む酸化物が好ましく、とくに、白金酸化物ＰｔＯｘが、分解温度が高いため、好ましい。
【００２９】
白金酸化物ＰｔＯｘは、他の貴金属酸化物に比べて、分解温度が高く、したがって、記録用のパワーに設定されたレーザビームを照射して、記録マークを形成する際に、レーザビームが照射された領域から、周囲の分解反応層に、熱が拡散しても、レーザビームが照射された領域以外の領域で、白金酸化物ＰｔＯｘの分解反応が生じることが防止されるから、分解反応層の所望の領域に、空洞を形成して、記録マークを形成することが可能になる。
【００３０】
また、高いパワーの再生用レーザビームが照射されて、データが再生される場合においても、白金酸化物ＰｔＯｘは、他の貴金属酸化物に比べて、分解温度が高いから、白金酸化物が白金と酸素に分解されるおそれがなく、したがって、繰り返し、光記録ディスクに記録されたデータを再生しても、記録マークの形状が変化することはなく、空洞が形成され、また、記録マークが形成された領域以外の領域に、新たに空洞が形成されることもないから、光記録ディスクの再生耐久性を向上させることが可能になる。
【００３１】
本発明において、記録マークの長さや、隣り合う記録マーク間のブランク領域の長さが、解像限界未満である場合にも、高いＣ／Ｎ比を有する再生信号を得るためには、白金酸化物の一般式ＰｔＯｘにおいて、ｘが０．５以上、４．０以下であることが好ましく、１．０以上、３未満であることがより好ましい。
【００３２】
本発明において、貴金属酸化物として、酸化銀ＡｇＯｙを用いる場合には、ｙが０．５以上、１．５以下であることが好ましく、０．５以上、１．０以下であることがより好ましい。
【００３３】
本発明において、分解反応層に形成される空洞は、前記レーザビームが照射されたときに、生成される酸素ガスによって、形成されるのが好ましい。
【００３４】
本発明において、好ましくは、白金酸化物が分解して、形成される白金の微粒子は、分解反応層に形成すべき空洞の大きさよりも小さい粒径を有しており、白金酸化物が分解して、形成される白金の微粒子が、通常、形成される空洞の大きさに比べて十分に小さい場合には、空洞内に析出した白金の微粒子によって、空洞の形状が悪影響を受け、記録マークの形状に、望ましくない変化が生じることを効果的に防止することが可能になる。
【００３５】
本発明において、光吸収層は、光透過層を介して、レーザビームが照射されたときに、レーザビームを吸収して、発熱するように構成されている。
【００３６】
光透過層を介して、レーザビームが照射されたときに、光吸収層がレーザビームを吸収して、発熱するように構成されている場合には、レーザビームが照射されたときに、分解反応層自身が発熱し難くても、光吸収層から伝達される熱によって、分解反応層に主成分として含まれている貴金属酸化物を貴金属と酸素に分解させることができ、したがって、分解反応層が容易に変形しやすくなるように、分解反応層を薄層化しても、また、分解反応層が、レーザビームの透過性の高い貴金属酸化物を含んでいても、光記録ディスクに、レーザビームを照射することにより、所望のように、貴金属酸化物を分解させて、記録マークを形成することが可能になる。
【００３７】
本発明において、光吸収層は、レーザビームの吸収率が高く、熱伝導率の低い材料を含んでいることが好ましく、ＳｂおよびＴｅの少なくとも一方を含んでいることが好ましい。
【００３８】
本発明において、光吸収層に含まれるＳｂおよびＴｅの少なくとも一方を含む合金としては、（ＳｂａＴｅ１ーａ）１ーｂＭｂ、または｛（ＧｅＴｅ）ｃ（Ｓｂ２Ｔｅ３）１−ｃ｝ｄＸ１−ｄで表わされる組成を有するものがとくに好ましい。ここに、元素Ｍは、ＳｂおよびＴｅを除く元素を表わし、元素Ｘは、Ｓｂ、ＴｅおよびＧｅを除く元素を表す。
【００３９】
光吸収層に含まれるＳｂおよびＴｅの少なくとも一方を含む合金が、（ＳｂａＴｅ１ーａ）１ーｂＭｂで表される組成を有するもののときは、ａおよびｂは、０≦ａ≦１、かつ、０≦ｂ≦０．２５であることが好ましい。ｂが０．２５を越えているときは、光の吸収係数が光吸収層に要求される値よりも低くなり、また、熱伝導性が光吸収層に要求される値よりも低くなり、好ましくない。
【００４０】
元素Ｍは、とくに限定されるものではないが、Ｉｎ、Ａｇ、Ａｕ、Ｂｉ、Ｓｅ、Ａｌ、Ｇｅ、Ｐ、Ｈ、Ｓｉ、Ｃ、Ｖ、Ｗ、Ｔａ、Ｚｎ、Ｍｎ、Ｔｉ、Ｓｎ、Ｐｂ、Ｐｄ、Ｎ、Ｏおよび希土類元素（Ｓｃ、Ｙおよびランタノイド）よりなる群から選ばれる少なくとも１種の元素を主成分として含むことが好ましい。
【００４１】
一方、光吸収層に含まれるＳｂおよびＴｅの少なくとも一方を含む合金が、｛（ＧｅＴｅ）ｃ（Ｓｂ２Ｔｅ３）１−ｃ｝ｄＸ１−ｄで表される組成を有するもののときは、１／３≦ｃ≦２／３、かつ、０．９≦ｄであることが好ましい。
【００４２】
元素Ｘは、とくに限定されるものではないが、Ｉｎ、Ａｇ、Ａｕ、Ｂｉ、Ｓｅ、Ａｌ、Ｐ、Ｈ、Ｓｉ、Ｃ、Ｖ、Ｗ、Ｔａ、Ｚｎ、Ｍｎ、Ｔｉ、Ｓｎ、Ｐｂ、Ｐｄ、Ｎ、Ｏおよび希土類元素よりなる群から選ばれる少なくとも１種の元素を主成分として含むことが好ましい。
【００４３】
本発明においては、レーザビームが照射されて、分解反応層が、貴金属と酸素に分解し、空洞が形成される際に、誘電体層および光吸収層が変形することが好ましい。
【００４４】
誘電体層および光吸収層が変形した領域は、誘電体層および光吸収層が変形しない領域と、光学特性が異なるので、再生信号のＣ／Ｎ比をより一層向上させることができる。
【００４５】
本発明の前記目的はまた、貴金属酸化物を主成分として含む分解反応層と、光吸収層とが、少なくとも誘電体層を挟んで形成された積層体を含む光記録ディスクに、レーザビームを照射して、解像限界未満の長さの記録マークおよびブランク領域の少なくとも一方を含む記録マーク列を形成して、データを記録し、記録されたデータを再生するデータ記録再生装置であって、前記光記録ディスクにレーザビームを照射する照射手段と、前記レーザビームのパワーを制御する制御手段とを備え、前記制御手段は、前記レーザビームのパワーを、あらかじめ決定された推奨記録パワーに設定し、前記推奨記録パワーに設定されたレーザビームを照射させて、前記光記録ディスクに、解像限界未満の長さの記録マークおよびブランク領域の少なくとも一方を含む記録マーク列を形成して、テストデータを記録させる第一のステップと、前記レーザビームのパワーを、あらかじめ決定された推奨再生パワーに設定し、前記推奨再生パワーに設定されたレーザビームを照射させて、前記光記録ディスクに記録された前記テストデータを再生させる第二のステップと、前記テストデータを再生させて得た再生信号の信号特性が基準条件を満たしているか否かを判定する第三のステップと、前記テストデータを再生させて得た再生信号の信号特性が基準条件を満たしていないときは、前記レーザビームのパワーを変更し、前記テストデータを再生させて得た再生信号の信号特性が基準条件を満たすときに、前記基準条件を満たす再生信号が得られたときの前記レーザビームのパワーを最適再生パワーとして決定する第四のステップとに従って、前記レーザービームのパワーを制御し、前記レーザビームのパワーを、前記第四のステップで決定された前記最適再生パワーに設定して、前記光記録ディスクに記録されたデータを再生させることを特徴とするデータ記録再生装置によって達成される。
【００４６】
本発明の好ましい実施態様においては、前記制御手段が、前記第三のステップで、前記テストデータを再生させて得た再生信号の解像度が基準条件を満たしているか否かを判定するように構成されている。
【００４７】
本発明の好ましい実施態様においては、前記制御手段が、前記第一のステップと第二のステップとの間に、前記レーザビームのパワーを、前記推奨再生パワーに設定して、前記光記録ディスクに、前記推奨再生パワーに設定されたレーザビームを照射させて、前記光記録ディスクに記録された前記テストデータを再生させる第五のステップと、前記テストデータを再生させて得た再生信号の信号特性が基準条件を満たしているか否かを判定する第六のステップと、前記テストデータを再生させて得た再生信号の信号特性が基準条件を満たしていないときは、前記テストデータを記録するためのレーザビームのパワーを変更し、前記テストデータを再生させて得た再生信号の信号特性が基準条件を満たすときは、そのレーザビームのパワーを、最適記録パワーとして決定する第七のステップとを含み、前記レーザビームのパワーを、前記第七のステップで決定された前記最適記録パワーに設定して、前記光記録ディスクにデータを記録させることを特徴とするように構成されている。
【００４８】
本発明の好ましい実施態様においては、前記制御手段が、前記第四のステップの後に、前記第四のステップで決定された最適再生パワーのレーザビームを、前記光記録ディスクに照射させて、前記光記録ディスクに記録された前記テストデータを再生させる第五のステップと、前記テストデータを再生させて得た再生信号の信号特性が基準条件を満たしているか否かを判定する第六のステップと、前記テストデータを再生させて得た再生信号の信号特性が基準条件を満たしていないときは、前記テストデータを記録するためのレーザビームのパワーを変更し、前記テストデータを再生させて得た再生信号の信号特性が基準条件を満たすときは、そのレーザビームのパワーを、最適記録パワーとして決定する第七のステップとを含み、前記レーザビームのパワーを、前記第七のステップで決定された前記最適記録パワーに設定して、前記光記録ディスクにデータを記録させるように構成されている。
【００４９】
本発明の好ましい実施態様においては、前記制御手段が、前記第六のステップで、前記テストデータを再生させて得たベータ値が基準条件を満たしているか否かを判定するように構成されている。
【発明の効果】
【００５０】
本発明によれば、記録マークの長さや、隣り合う記録マーク間のブランク領域の長さが、解像限界未満である場合にも、これらの記録マークおよびブランク領域を含む記録マーク列により構成されたデータを記録し、再生することができ、記録容量を大幅に増大することができる光記録ディスクに適用可能なレーザビームの再生パワーの決定方法およびデータ記録再生装置を提供することができる。
【発明を実施するための最良の形態】
【００５１】
以下、添付図面に基づいて、本発明の好ましい実施態様につき、詳細に説明を加える。
【００５２】
図１は、本発明の好ましい実施態様にかかる光記録ディスクの略斜視図であり、図２は、図１に示された光記録ディスクのトラックに沿った断面のうち、Ａで示される部分の略拡大断面図である。
【００５３】
図２に示されるように、本実施態様にかかる光記録ディスク１は、支持基板２を備え、支持基板２上に、反射層３と、第三の誘電体層４と、光吸収層５と、第二の誘電体層６と、分解反応層７と、第一の誘電体層８と、光透過層９とが、この順に、積層されている。
【００５４】
本実施態様においては、図２に示されるように、光記録ディスク１は、光透過層９側から、レーザビームＬが照射されて、データが記録され、記録されたデータが再生されるように構成されている。レーザビームＬは、３９０ｎｍないし４２０ｎｍの波長λを有し、開口数ＮＡが０．７ないし０．９の対物レンズによって、光記録ディスク１に集光される。
【００５５】
支持基板２は、光記録ディスク１に求められる機械的強度を確保するための支持体として、機能する。
【００５６】
支持基板２を形成するための材料は、光記録ディスク１の支持体として機能することができれば、とくに限定されるものではない。支持基板２は、たとえば、ガラス、セラミックス、樹脂などによって、形成することができる。これらのうち、成形の容易性の観点から、樹脂が好ましく使用される。このような樹脂としては、ポリカーボネート樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂などが挙げられる。これらの中でも、加工性、光学特性などの点から、ポリカーボネート樹脂、オレフィン樹脂がとくに好ましい。
【００５７】
本実施態様においては、支持基板２は、ポリカーボネート樹脂によって形成され、約１．１ｍｍの厚さを有している。
【００５８】
図２に示されるように、光記録ディスク１の支持基板２の表面上には、反射層３が形成されている。
【００５９】
反射層３は、光透過層９を介して、入射したレーザビームＬを反射し、再び、光透過層９から出射させる役割を果たす。
【００６０】
反射層３を形成するための材料は、レーザビームＬを反射することができれば、とくに限定されるものではなく、反射層３は、Ａｕ、Ａｇ、Ｃｕ、Ｐｔ、Ａｌ、Ｔｉ、Ｃｒ、Ｆｅ、Ｃｏ、Ｎｉ、Ｍｇ、Ｚｎ、Ｇｅ、Ｓｉ、Ｐｄ、Ｎｄからなる群より選ばれる少なくとも一種の元素を用いて、形成することができる。
【００６１】
反射層３の厚さは、とくに限定されるものではないが、反射層３は、５ｎｍないし２００ｎｍの厚さを有するように形成されることが好ましい。
【００６２】
図２に示されるように、光記録ディスク１の反射層３の表面上には、第三の誘電体層４が形成されている。
【００６３】
本実施態様においては、第三の誘電体層４は、支持基板２および反射層３を保護するとともに、その上に形成される光吸収層５を、物理的、化学的に保護する機能を有している。
【００６４】
第三の誘電体層４を形成するための誘電体材料は、とくに限定されるものではなく、たとえば、酸化物、硫化物、窒化物またはこれらの組み合わせを主成分とする誘電体材料によって、第三の誘電体層４を形成することができ、第三の誘電体層４は、好ましくは、Ｓｉ、Ｚｎ、Ａｌ、Ｔａ、Ｔｉ、Ｃｏ、Ｚｒ、Ｐｂ、Ａｇ、Ｓｎ、Ｃａ、Ｃｅ、Ｖ、Ｃｕ、Ｆｅ、Ｍｇよりなる群から選ばれる少なくとも一種の金属を含む酸化物、窒化物、硫化物、フッ化物、あるいは、これらの複合物によって形成される。
【００６５】
第三の誘電体層４は、たとえば、第三の誘電体層４の構成元素を含む化学種を用いた気相成長法によって、反射層３の表面上に形成することができる。気相成長法としては、真空蒸着法、スパッタリング法などが挙げられる。
【００６６】
第三の誘電体層４の厚さは、とくに限定されるものではないが、１０ｎｍないし１４０ｎｍが好ましい。
【００６７】
図２に示されるように、光記録ディスク１の第三の誘電体層４の表面上には、光吸収層５が形成されている。
【００６８】
本実施態様において、光吸収層５は、光記録ディスク１に、記録パワーに設定されたレーザビームＬが照射されたときに、レーザビームＬを吸収して、発熱し、生成した熱を、分解反応層７に伝達する機能を有している。
【００６９】
本実施態様においては、光吸収層５は、光の吸収係数が高く、熱伝導率の低いＳｂおよびＴｅの少なくとも一方を含む合金によって形成されている。
【００７０】
光吸収層５に含まれるＳｂおよびＴｅの少なくとも一方を含む合金としては、（ＳｂａＴｅ１ーａ）１ーｂＭｂ、または｛（ＧｅＴｅ）ｃ（Ｓｂ２Ｔｅ３）１−ｃ｝ｄＸ１−ｄで表わされる組成を有していることがとくに好ましい。ここに、元素Ｍは、ＳｂおよびＴｅを除く元素を表わし、元素Ｘは、Ｓｂ、ＴｅおよびＧｅを除く元素を表わす。
【００７１】
光吸収層５に含まれるＳｂおよびＴｅの少なくとも一方を含む合金が、（ＳｂａＴｅ１ーａ）１ーｂＭｂで表される組成を有しているときは、ａおよびｂは、０≦ａ≦１、かつ、０≦ｂ≦０．２５であることが好ましい。ｂが０．２５を越えているときは、光の吸収係数が光吸収層５に要求される値よりも低くなり、また、熱伝導性が光吸収層５に要求される値よりも低くなり、好ましくない。
【００７２】
元素Ｍは、とくに限定されるものではないが、Ｉｎ、Ａｇ、Ａｕ、Ｂｉ、Ｓｅ、Ａｌ、Ｇｅ、Ｐ、Ｈ、Ｓｉ、Ｃ、Ｖ、Ｗ、Ｔａ、Ｚｎ、Ｍｎ、Ｔｉ、Ｓｎ、Ｐｂ、Ｐｄ、Ｎ、Ｏおよび希土類元素（Ｓｃ、Ｙおよびランタノイド）よりなる群から選ばれる少なくとも１種の元素を主成分として含むことが好ましい。
【００７３】
一方、光吸収層５に含まれるＳｂおよびＴｅの少なくとも一方を含む合金が、｛（ＧｅＴｅ）ｃ（Ｓｂ２Ｔｅ３）１−ｃ｝ｄＸ１−ｄで表わされる組成を有しているときは、１／３≦ｃ≦２／３、かつ、０．９≦ｄであることが好ましい。
【００７４】
元素Ｘは、とくに限定されるものではないが、Ｉｎ、Ａｇ、Ａｕ、Ｂｉ、Ｓｅ、Ａｌ、Ｐ、Ｈ、Ｓｉ、Ｃ、Ｖ、Ｗ、Ｔａ、Ｚｎ、Ｍｎ、Ｔｉ、Ｓｎ、Ｐｂ、Ｐｄ、Ｎ、Ｏおよび希土類元素よりなる群から選ばれる少なくとも１種の元素を主成分として含むことが好ましい。
【００７５】
３９０ｎｍないし４２０ｎｍの波長λを有するレーザビームＬを用いる場合には、元素Ｍとしては、Ａｇ、Ｉｎ、Ｇｅおよび希土類元素よりなる群から選ばれる少なくとも一種の元素を主成分として含むことが、とくに好ましく、元素Ｘとしては、Ａｇ、Ｉｎおよび希土類元素よりなる群から選ばれる少なくとも一種の元素を主成分として含むことが、とくに好ましい。
【００７６】
光吸収層５は、光吸収層５の構成元素を含む化学種を用いた気相成長法によって、第三の誘電体層４の表面上に形成することができ、気相成長法としては、真空蒸着法、スパッタリング法などが挙げられる。
【００７７】
光吸収層５は、５ｎｍないし１００ｎｍの厚さを有していることが好ましい。光吸収層５の厚さが、５ｎｍ未満である場合には、光吸収量が低すぎ、一方、光吸収層５の厚さが、１００ｎｍを越えると、後述のように、分解反応層７に空洞が形成される際に、光吸収層５が変形し難くなり、好ましくない。
【００７８】
図２に示されるように、光記録ディスク１の光吸収層５の表面上には、第二の誘電体層６が形成されている。
【００７９】
本実施態様において、第二の誘電体層６は、第一の誘電体層８とともに、分解反応層７を、物理的、化学的に保護する機能を有している。
【００８０】
第二の誘電体層６を形成するための材料は、とくに限定されるものではなく、たとえば、第二の誘電体層６は、第三の誘電体層４と同様の材料によって、形成することができる。また、第二の誘電体層６は、第三の誘電体層４と同様に、気相成長法によって、形成することができる。
【００８１】
第二の誘電体層６は、好ましくは、５ｎｍないし１００ｎｍの厚さを有するように形成される。
【００８２】
図２に示されるように、光記録ディスク１の第二の誘電体層６の表面上には、分解反応層７が形成されている。
【００８３】
本実施態様においては、分解反応層７は、記録層として機能し、光記録ディスク１にデータが記録される際に、分解反応層７に、記録マークが形成される。
【００８４】
本実施態様において、分解反応層７は、白金酸化物ＰｔＯｘを主成分として含んでいる。
【００８５】
本実施態様において、記録マークの長さや、隣り合う記録マーク間のブランク領域の長さが、解像限界未満である場合にも、高いＣ／Ｎ比を有する再生信号を得るためには、１．０≦ｘ＜３．０であることがより好ましい。
【００８６】
分解反応層７は、分解反応層７に主成分として含まれる構成元素を含む化学種を用いた気相成長法によって、第二の誘電体層６の表面上に形成することができ、気相成長法としては、真空蒸着法、スパッタリング法などが挙げられる。
【００８７】
分解反応層７は、２ｎｍないし５０ｎｍの厚さを有するように形成されることが好ましい。
【００８８】
図２に示されるように、光記録ディスク１の分解反応層７の表面上には、第一の誘電体層８が形成されている。
【００８９】
本実施態様において、第一の誘電体層８は、分解反応層７を物理的、化学的に保護する機能を有している。
【００９０】
第一の誘電体層８を形成するための材料はとくに限定されるものではないが、たとえば、第一の誘電体層８は、第三の誘電体層４と同様の材料によって、形成することができる。また、第一の誘電体層８は、第三の誘電体層４と同様に、気相成長法によって、形成することができる。
【００９１】
図２に示されるように、光記録ディスク１の第一の誘電体層８の表面上には、光透過層９が形成されている。
【００９２】
光透過層９は、レーザビームＬが透過する層であり、その表面は、レーザビームＬの入射面を形成している。
【００９３】
光透過層９は、１０μｍないし２００μｍの厚さを有していることが好ましく、より好ましくは、光透過層９は、５０μｍないし１５０μｍの厚さを有している。
【００９４】
光透過層９を形成するための材料は、光学的に透明で、使用されるレーザビームＬの波長領域である３９０ｎｍないし４２０ｎｍでの光学吸収および反射が少なく、複屈折が小さい材料であれば、とくに限定されるものではなく、スピンコーティング法などによって、光透過層９が形成される場合には、紫外線硬化型樹脂、電子線硬化型樹脂、熱硬化型樹脂などが、光透過層９を形成するために用いられ、紫外線硬化型樹脂、電子線硬化型樹脂などの活性エネルギー線硬化型樹脂が、光透過層９を形成するために、とくに好ましく使用される。
【００９５】
光透過層９は、第一の誘電体層８の表面に、光透過性樹脂によって形成されたシートを、接着剤を用いて、接着することによって、形成されてもよい。
【００９６】
光透過層９の膜厚は、スピンコーティング法により、光透過層９を形成する場合には、１０μｍないし２００μｍが好ましく、光透過性樹脂によって形成されたシートを、接着剤を用いて、第一の誘電体層８の表面に接着して、光透過層９を形成する場合には５０μｍないし１５０μｍが好ましい。
【００９７】
図３は、本発明の別の好ましい実施形態にかかる光記録ディスクの略斜視図であり、図４は、図３に示された光記録ディスクのトラックに沿った断面のうち、Ｂで示される部分の略拡大断面図である。
【００９８】
図４に示されるように、本実施形態にかかる光記録ディスク１０は、光透過性基板１２を備え、光透過性基板１２上に、第一の誘電体層８と、分解反応層７と、第二の誘電体層６と、光吸収層５と、第三の誘電体層４と、厚み調整用の基板１３が、この順に、積層されている。
【００９９】
図４に示されるように、光記録ディスク１０は、光透過性基板１２側から、レーザビームＬが照射されて、データが記録され、記録されたデータが再生されるように構成されている。レーザビームＬは、６３０ｎｍないし６７５ｎｍの波長λを有し、開口数ＮＡが０．５９ないし０．６６の対物レンズによって、光記録ディスク１０に集光される。
【０１００】
光透過性基板１２は、分解反応層７に、データが記録され、あるいは、分解反応層７に記録されたデータが再生されるときに、レーザビームＬが透過する層であり、光記録ディスク１０に求められる機械的強度を確保するための支持体としての役割を果たす。光透過性基板１２は、ディスク状に形成され、約０．６ｍｍの厚さを有するように形成されている。
【０１０１】
光透過性基板１２を形成するための材料は、６３０ｎｍないし６７５ｎｍの波長λを有するレーザビームＬに対して光透過性を有し、光記録ディスク１０の支持体として機能することができれば、とくに限定されるものではなく、たとえば、ガラス、セラミックス、樹脂などによって、形成することができ、加工性、光学特性などの点から、ポリカーボネート樹脂によって、光透過性基板１２が形成されるのが、とくに好ましい。
【０１０２】
厚み調整用の基板１３は、光記録ディスク１０が、全体として、約１．２ｍｍの厚さを有するようにするために用いられるディスク状の基板であり、光透過性基板１２と同様に、約０．６ｍｍの厚さを有するように形成されている。また、厚み調整用の基板１３は、光記録ディスク１０の剛性を向上させる役割も果たす。
【０１０３】
厚み調整用の基板１３を形成するための材料は、とくに限定されるものではなく、厚み調整用の基板１３は、光透過性基板１２と同様に、たとえば、ガラス、セラミックス、樹脂などによって、形成することができる。
【０１０４】
以上のように構成された光記録ディスク１、１０には、次のようにして、データが記録され、データが再生される。ここでは、図１および図２に示される光記録ディスク１に、データが記録され、データが再生される場合を例に挙げて説明する。
【０１０５】
図５は、データが記録される前の光記録ディスク１の一部拡大略断面図であり、図６は、データが記録された後の光記録ディスク１の一部拡大略断面図である。
【０１０６】
光記録ディスク１にデータを記録するに際しては、光透過層９側から、光記録ディスク１にレーザビームＬが照射される。
【０１０７】
記録パワーに設定されたレーザビームＬが、光記録ディスク１に照射されると、光吸収層５が光の吸収係数が高いＳｂおよびＴｅの少なくとも一方を含む合金によって形成されているため、レーザビームＬが照射された光吸収層５の領域が加熱される。
【０１０８】
光吸収層５で生成された熱は、分解反応層７に伝達され、分解反応層７の温度が上昇する。
【０１０９】
こうして、分解反応層７が、白金酸化物の分解温度以上に加熱されると、分解反応層７に主成分として含まれている白金酸化物が、白金と酸素に分解される。
【０１１０】
その結果、図６に示されるように、白金酸化物が分解して、生成された酸素ガスによって、分解反応層７中に、空洞７ａが形成され、白金の微粒子７ｂが空洞７ａ内に析出する。
【０１１１】
同時に、図６に示されるように、酸素ガスの圧力によって、分解反応層７とともに、第二の誘電体層６が変形する。
【０１１２】
こうして、空洞７ａが形成され、第二の誘電体層６および分解反応層７が変形した領域は、他の領域とは異なる光学特性を有するため、空洞７ａが形成され、第二の誘電体層６および分解反応層７が変形した領域によって、記録マークが形成される。
【０１１３】
本実施態様においては、こうして形成される記録マークおよび隣り合った記録マーク間のブランク領域の中には、λ／４ＮＡよりも長さが短いものが含まれ、解像限界未満の記録マーク列が形成される。
【０１１４】
また、本実施態様においては、分解反応層７が、分解温度が高い白金酸化物を主成分として含んでいるから、記録パワーＰｗに設定されたレーザビームＬを照射して、記録マークを形成する際に、レーザビームＬが照射された領域から、熱が周囲の分解反応層７に拡散した場合にも、レーザビームが照射された領域以外の領域で、白金酸化物の分解反応が生じることが防止され、したがって、分解反応層７の所望の領域に、空洞７ａを形成して、記録マークを形成することが可能となる。
【０１１５】
さらに、本実施態様においては、白金酸化物が分解して、白金の微粒子７ｂが、空洞７ａ内に、析出して、記録マークが形成されるが、白金微粒子７ｂの粒径は、分解反応層７に形成すべき空洞７ａの大きさよりも小さいから、空洞７ａ内に析出した白金の微粒子７ｂによって、空洞７ａの形状が悪影響を受け、記録マークの形状に、望ましくない変化が生じることを効果的に防止することが可能になる。
【０１１６】
こうして、光記録ディスク１に、記録マーク列が形成されて、データが記録される。
【０１１７】
光記録ディスク１に記録されたデータは、以下のようにして、再生される。
【０１１８】
光記録ディスク１に記録されたデータを再生するにあたっては、光透過層９側から、光記録ディスク１にレーザビームＬが照射される。
【０１１９】
本発明者の研究によれば、光記録ディスク１の分解反応層７に、上述のように、データが記録された場合には、レーザビームＬを、光透過層９側から、光記録ディスク１に集光することによって、記録マーク列を構成する記録マークの長さや、隣り合う記録マーク間のブランク領域の長さが、解像限界未満であるときにも、データが再生可能であることが見出されている。
【０１２０】
分解反応層７に主成分として含まれている白金酸化物が白金と酸素に分解され、生成された酸素ガスによって、分解反応層７内に空洞７ａが形成されるとともに、白金の微粒子７ｂが空洞７ａ内に析出し、分解反応層７に記録マークが形成されて、データが記録された場合に、記録マーク列を構成する記録マークの長さや、隣り合う記録マーク間のブランク領域の長さが、解像限界未満であるときでも、データを再生することができるという理由は必ずしも明らかではないが、空洞７ａ内に析出した白金の微粒子７ｂに、レーザビームＬが照射されることにより、近接場光が発生し、解像限界がなくなったためか、あるいは、空洞７ａ内に析出した白金の微粒子７ｂと照射されたレーザビームＬとの相互作用によって、解像限界が小さくなったためではないかと推測される。
【０１２１】
また、本発明者の研究によれば、分解反応層７に主成分として含まれている白金酸化物が白金と酸素に分解され、生成された酸素ガスによって、分解反応層７内に空洞７ａが形成されるとともに、白金の微粒子７ｂが空洞７ａ内に析出し、分解反応層７に、解像限界未満の記録マークおよびブランク領域が形成されて、データが記録された光記録ディスク１においては、レーザビームの再生パワーＰｒを所定のパワーより高くしなければ、記録されたデータを再生することができず、また、レーザビームの再生パワーＰｒを高くしすぎると、再生信号のＣ／Ｎ比などの信号特性が悪化することが見出されている。
【０１２２】
したがって、分解反応層７に主成分として含まれている白金酸化物が白金と酸素に分解され、生成された酸素ガスによって、分解反応層７内に空洞７ａが形成されるとともに、白金の微粒子７ｂが空洞７ａ内に析出し、分解反応層７に、解像限界未満の記録マークおよびブランク領域が形成されて、光記録ディスク１に記録されたデータを、所望のように、再生するためには、光記録ディスク１に記録されたデータを再生するのに先立って、レーザビームの再生パワーＰｒが、記録されたデータを再生するのに適したレベルとなるように、レーザビームの再生パワーＰｒのレベルを制御することが必要になる。
【０１２３】
図７は、本発明の好ましい実施態様にかかるデータ記録再生装置のブロックダイアグラムである。
【０１２４】
図７に示されるように、本実施態様にかかるデータ記録再生装置５０は、光記録ディスク１を回転させるためのスピンドルモータ５２と、光記録ディスク１に、レーザビームＬを照射するとともに、光記録ディスク１によって、反射されたレーザビームＬを受光するヘッド５３と、スピンドルモータ５２およびヘッド５３の動作を制御するコントローラ５４と、ヘッド５３に、レーザ駆動信号を供給するレーザ駆動回路５５と、ヘッド５３に、レンズ駆動信号を供給するレンズ駆動回路５６とを備えている。
【０１２５】
図７に示されるように、コントローラ５４は、フォーカスサーボ回路５７、トラッキングサーボ回路５８およびレーザパワーコントロール回路５９を含んでいる。
【０１２６】
トラッキングサーボ回路５８が活性化すると、光記録ディスク１のトラックに対して、レーザビームＬのスポットが自動追従状態となる。
【０１２７】
フォーカスサーボ回路５７およびトラッキングサーボ回路５８は、それぞれ、フォーカスゲインを自動調整するためのオートゲインコントロール機能およびトラッキングゲインを自動調整するためのオートゲインコントロール機能を有している。
【０１２８】
また、レーザパワーコントロール回路５９は、レーザビームＬのパワーを制御するレーザパワー制御信号を生成して、レーザ駆動回路５５に出力するように構成されている。
【０１２９】
本実施態様においては、光記録ディスク１が出荷されるのに先立って、光記録ディスクメーカーによって、所定の記録線速度ＶｗにおけるレーザビームＬの記録パワーＰｗの推奨記録パワーＰｗ’および所定の再生線速度ＶｒにおけるレーザビームＬの再生パワーＰｒの推奨再生パワーＰｒ’が定められ、推奨記録パワーＰｗ’および推奨再生パワーＰｒ’が、記録線速度Ｖｗおよび再生線速度Ｖｒとともに、記録再生条件設定用データとして、ウォブルやプリピットの形で、光記録ディスク１に記録されるように構成されている。
【０１３０】
光記録ディスク１が、データ記録再生装置５０にセットされると、まず、コントローラ５４によって、光記録ディスク１に記録された記録再生条件設定用データ、すなわち、推奨記録パワーＰｗ’、推奨再生パワーＰｒ’、記録線速度Ｖｗおよび再生線速度Ｖｒが読み出される。
【０１３１】
ここに、推奨記録パワーＰｗ’および推奨再生パワーＰｒ’は、同一の構成を有する複数の光記録ディスクサンプルに、記録線速度Ｖｗで、レーザビームの記録パワーＰｗを変更させながら、データを記録し、再生線速度Ｖｒで、レーザビームの再生パワーＰｒを変更させながら、光記録ディスクサンプルに記録されたデータを再生することによって得られる記録特性および再生特性に基づいて、決定される。
【０１３２】
また、本実施態様にかかるデータ記録再生装置５０においては、後述するレーザビームＬの最適記録パワーＰｗおよび最適再生パワーＰｒを決定するためのプログラムデータが、フラッシュメモリなどの不揮発性メモリ（図示せず）に記憶されており、したがって、コントローラ５４は、光記録ディスク１に、データを記録するのに先立って、あるいは、光記録ディスク１に記録されたデータを読み出すのに先立って、光記録ディスク１から読み出した推奨記録パワーＰｗ’、推奨再生パワーＰｒ’、記録線速度Ｖｗおよび再生線速度Ｖｒを用いて、光記録ディスク１にデータを記録するときのレーザビームＬの最適記録パワーＰｗおよび光記録ディスク１に記録されたデータを再生するときの最適再生パワーＰｒを決定する。
【０１３３】
図８は、レーザビームの最適記録パワーおよび最適再生パワーを決定するレーザビームの記録パワーおよび再生パワーの決定ルーチンを示すフローチャートである。
【０１３４】
まず、データ記録再生装置５０のコントローラ５４は、レーザビームＬの最適記録パワーＰｗおよび最適再生パワーＰｒを決定するにあたり、光記録ディスク１に記録された推奨記録パワーＰｗ’、推奨再生パワーＰｒ’、記録線速度Ｖｗおよび再生線速度Ｖｒを読み出す。
【０１３５】
推奨記録パワーＰｗ’、推奨再生パワーＰｒ’、記録線速度Ｖｗおよび再生線速度Ｖｒを読み出すと、コントローラ５４は、レーザビームＬの記録パワーＰｗを推奨記録パワーＰｗ’に設定するとともに、光記録ディスク１にデータを記録するときの記録線速度を、記録線速度Ｖｗに設定する。
【０１３６】
レーザビームＬの記録パワーＰｗが、推奨記録パワーＰｗ’に設定されると、レーザパワーコントロール回路５９は、ヘッド５３によって生成されるレーザビームＬのパワーが、推奨記録パワーＰｗ’になるように、レーザパワー制御信号を生成して、レーザ駆動回路５５に出力し、レーザ駆動回路５５に、レーザパワー制御信号に基づいて、レーザ駆動信号を生成させて、ヘッド５３に出力させる。
【０１３７】
また、光記録ディスク１にデータを記録するときの記録線速度が、記録線速度Ｖｗに設定されると、コントローラ５４によって、まず、レーザビームＬが、光記録ディスク１のパワーキャリブレーションエリアの所定のトラックに照射されるように、ヘッド５３の位置が調整され、次いで、記録線速度が、記録線速度Ｖｗになるように、コントローラ５４によって、光記録ディスク１の回転速度が調整される。
【０１３８】
ここに、パワーキャリブレーションエリアとは、レーザビームＬの記録パワーＰｗおよび再生パワーＰｒを決定するためのテストデータなどが記録される領域をいい、ユーザによって、データが記録される領域とは別に、光記録ディスク１の内周部などに設けられる。
【０１３９】
次いで、ヘッド５３から発せられた記録パワーＰｗ’のレーザビームＬが、記録線速度Ｖｗで、光記録ディスク１のパワーキャリブレーションエリアに照射され、パワーキャリブレーションエリアに、テストデータが記録される。
【０１４０】
テストデータを記録するに際しては、解像限界未満の長さの記録マークおよび解像限界未満の長さのブランク領域の少なくとも一方を含む記録マーク列が、パワーキャリブレーションエリアの分解反応層７に形成されて、データが記録される。
【０１４１】
テストデータが記録されると、コントローラ５４は、レーザビームＬのパワーを推奨再生パワーＰｒ’に設定するとともに、光記録ディスク１の再生線速度を、再生線速度Ｖｒに設定し、再生線速度Ｖｒで、再生パワーＰｒ’に設定されたレーザビームＬを光記録ディスク１に照射して、光記録ディスク１のパワーキャリブレーションエリアに記録されたテストデータを再生する。
【０１４２】
テストデータが再生されると、コントローラ５４は、テストデータを再生して得られた再生信号から、ベータ値を算出する。ベータ値とは、光記録ディスク１に形成された記録マークおよびブランク領域の反射光が、電圧またはエネルギーに変換されたときの電圧レベルまたはエネルギーレベルの非対称性を指し、記録マークの長さや太さと相関関係を有している。したがって、ベータ値は、光記録ディスク１にデータを記録するときのレーザビームＬの記録パワーＰｗの大小によって決定される。
【０１４３】
本実施態様において、Ｈｉｇｈ  ｔｏ  Ｌｏｗ記録タイプを例に説明すると、テストデータを再生したときに得られる交流信号のプラス側の極大値をＡ１、マイナス側の極小値をＡ２とした場合に、（Ａ１＋Ａ２）／（Ａ１−Ａ２）によって得られる値が、ベータ値として定義される。
【０１４４】
次いで、コントローラ５４は、こうして算出したベータ値が、基準条件を満たしているか否かを判定する。
【０１４５】
ベータ値が、基準条件を満たしているか否かは、算出されたベータ値が、光記録ディスク１が適合する規格によって定められた基準範囲内に収まるか否かによって、判定される。
【０１４６】
その結果、ベータ値が、基準条件を満たしていないと判定したときは、テストデータを記録するために設定したレーザビームＬのパワーＰｗのレベルが不適切であったと考えられるから、コントローラ５４は、制御信号を、レーザパワーコントロール回路５９に出力して、レーザビームＬの記録パワーＰｗを高くする。
【０１４７】
そして、異なる記録パワーＰｗに設定されたレーザビームＬが、パワーキャリブレーションエリアに照射されて、再び、テストデータが記録され、記録されたテストデータが再生されて、再度、再生信号から算出されるベータ値が、基準条件を満たすか否かが判定される。このとき、ベータ値が、基準範囲内に収まらず、マイナス側にずれているときは、コントローラ５４は、レーザビームＬの記録パワーＰｗが最適な記録パワーに比して高すぎ、レーザビームＬの記録パワーＰｗを高くするのは誤りであったと判断し、レーザビームＬの記録パワーＰｗを低くするように、記録パワーＰｗを変更する方向の転換を図る。これとは逆に、ベータ値が、基準範囲内に収まらず、プラス側にずれているときは、コントローラ５４は、変更した後の記録パワーＰｗでも、まだ、最適記録パワーＰｗに比して低く、最適記録パワーＰｗに達していないと判断し、再び、記録パワーＰｗを高くする。
【０１４８】
これに対して、ベータ値が基準条件を満たしているときは、コントローラ５４は、テストデータを記録するために設定したレーザビームＬの記録パワーＰｗが適切であると判断して、そのテストデータを記録したときのレーザビームＬの記録パワーＰｗを、ユーザがデータを記録するときの最適記録パワーＰｗとして、決定する。
【０１４９】
最適記録パワーＰｗが決定されると、コントローラ５４は、レーザビームＬのパワーを、推奨再生パワーＰｒ’に設定し、最適記録パワーＰｗのレーザビームＬを照射して記録されたテストデータを、再生する。
【０１５０】
テストデータの再生が終了すると、コントローラ５４は、テストデータを再生して得られた再生信号から、解像度を算出する。本実施態様においては、解像度は、光記録ディスク１の分解反応層７に形成された記録マークのうちの最小の記録マークに対応する再生信号の振幅Ｉmin＝Ａ１min−Ａ２minと、最大の記録マークに対応する再生信号の振幅Ｉmax＝Ａ１max−Ａ２maxとの比Ｉmin／Ｉmaxによって、定義される。
【０１５１】
次いで、コントローラ５４は、こうして算出した解像度が、基準条件を満たしているか否かを判定する。算出された解像度が、基準条件を満たしているか否かは、解像度が、光記録ディスク１が適合する規格によって定められた基準値よりも大きいか否か、あるいは、算出された解像度が、定められた基準範囲内に収まるか否かによって、判定される。ここに、テストデータを再生したときに得られる直流信号のうち、最小の記録マークに対応する直流信号の振幅Ｉminは、光記録ディスク１に記録されたデータを再生するときのレーザビームＬの再生パワーＰｒの大小によって決定され、ひいては、再生信号の解像度もレーザビームＬの再生パワーＰｒの大小によって決定される。本実施態様においては、この点に着目し、再生信号の解像度を参照して、レーザビームＬの再生パワーＰｒが、最適なパワーであるか否かを判定する。
【０１５２】
判定の結果、解像度が、基準条件を満たしていないと判定したときは、コントローラ５４は、テストデータを再生するために設定したレーザビームＬの再生パワーＰｒのレベルが不適切であったと判断し、制御信号を、レーザパワーコントロール回路５９に出力し、レーザビームＬの再生パワーＰｒのレベルを高くする。
【０１５３】
そして、異なる再生パワーＰｒに設定されたレーザビームＬが、再び、パワーキャリブレーションエリアに記録されたテストデータに照射されて、テストデータが再生され、再生信号から算出された解像度が、基準条件を満たすか否かが判定される。このとき、レーザビームＬの再生パワーＰｒを高くして、テストデータを再生したときの解像度が、レーザビームＬの再生パワーＰｒを高くする前の解像度に比して、低くなった場合には、コントローラ５４は、レーザビームＬの再生パワーＰｒを高くするのは誤りであったと判断し、レーザビームＬの再生パワーＰｒを低くするように、再生パワーＰｒの変更する方向の転換を図る。
【０１５４】
これに対して、解像度が、基準条件を満たしていると判定したときは、コントローラ５４は、テストデータを再生するために設定したレーザビームＬの再生パワーＰｒが適切であると判断して、そのレーザビームＬの再生パワーＰｒを、ユーザがデータを再生するときの最適再生パワーＰｒとして、決定する。
【０１５５】
こうして、光記録ディスク１にデータを記録するときのレーザビームＬの最適記録パワーＰｗおよび光記録ディスク１に記録されたデータを再生するときのレーザビームＬの最適再生パワーＰｒが決定されると、レーザビームＬが、光透過層９を介して、光記録ディスク１に照射されて、光記録ディスク１にデータが記録され、記録されたデータが再生される。
【０１５６】
図９は、レーザビームの最適記録パワーおよび最適再生パワーを決定するレーザビームの記録パワーおよび再生パワーの別の決定ルーチンを示すフローチャートである。
【０１５７】
図８に示される決定ルーチンが、最適記録パワーＰｗを決定した後に、最適再生パワーＰｒを決定するのに対し、本実施態様においては、最適再生パワーＰｒを決定した後に、最適記録パワーＰｗを決定する点で相違する。
【０１５８】
まず、データ記録再生装置５０のコントローラ５４は、レーザビームＬの最適記録パワーＰｗおよび最適再生パワーＰｒを決定するにあたり、光記録ディスク１に記録された推奨記録パワーＰｗ’、推奨再生パワーＰｒ’、記録線速度Ｖｗおよび再生線速度Ｖｒを読み出し、レーザビームＬの記録パワーＰｗを推奨記録パワーＰｗ’に設定するとともに、光記録ディスク１にデータを記録するときの記録線速度を、記録線速度Ｖｗに設定する。
【０１５９】
次いで、コントローラ５４は、記録線速度Ｖｗで、記録パワーＰｗ’のレーザビームＬを、ヘッド５３から光記録ディスク１のパワーキャリブレーションエリアに照射させ、パワーキャリブレーションエリアに、テストデータを記録させる。
【０１６０】
テストデータを記録するに際しては、解像限界未満の長さの記録マークおよび解像限界未満の長さのブランク領域の少なくとも一方を含む記録マーク列が、パワーキャリブレーションエリアの分解反応層７に形成されて、データが記録される。
【０１６１】
テストデータが記録されると、コントローラ５４は、レーザビームＬのパワーを推奨再生パワーＰｒ’に設定するとともに、光記録ディスク１の再生線速度を、再生線速度Ｖｒに設定し、再生線速度Ｖｒで、再生パワーＰｒ’に設定されたレーザビームＬを光記録ディスク１に照射して、光記録ディスク１のパワーキャリブレーションエリアに記録されたテストデータを再生する。
【０１６２】
テストデータが再生されると、コントローラ５４は、テストデータを再生して得られた再生信号から、解像度を算出する。
【０１６３】
次いで、コントローラ５４は、こうして算出した解像度が、基準条件を満たしているか否かを判定する。
【０１６４】
その結果、ベータ値が、基準条件を満たしていないと判定したときは、テストデータを再生するために設定したレーザビームＬのパワーＰｒのレベルが不適切であったと考えられるから、コントローラ５４は、制御信号を、レーザパワーコントロール回路５９に出力して、レーザビームＬの再生パワーＰｒを変更する。
【０１６５】
一方、ベータ値が、基準条件を満たしていると判定したときは、テストデータを再生するために設定したレーザビームＬの再生パワーＰｒが適切であると判断して、コントローラ５４は、そのテストデータを再生したときのレーザビームＬの再生パワーＰｒを、ユーザが、記録されたデータを再生するときの最適記録パワーＰｒとして、決定する。こうして、ユーザが、記録されたデータを再生するときのレーザビームＬの最適再生パワーＰｒが決定される。
【０１６６】
最適再生パワーＰｒが決定されると、コントローラ５４は、レーザビームＬのパワーを、最適再生パワーＰｒに設定し、最適再生パワーＰｒのレーザビームＬを照射して、再び、記録されたテストデータを、再生する。
【０１６７】
テストデータの再生が終了すると、コントローラ５４は、テストデータを再生して得られた再生信号から、ベータ値を算出する。
【０１６８】
その結果、ベータ値が、基準条件を満たしていないと判定したときは、コントローラ５４は、テストデータを記録するために設定したレーザビームＬのパワーＰｗのレベルが不適切であったと判断し、制御信号を、レーザパワーコントロール回路５９に出力して、レーザビームＬの記録パワーＰｗを変更する。
【０１６９】
一方、ベータ値が基準条件を満たしていると判定したときは、コントローラ５４は、テストデータを記録するために設定したレーザビームＬの記録パワーＰｗが適切であると判断して、そのテストデータを記録したときのレーザビームＬの記録パワーＰｗを、ユーザがデータを記録するときの最適記録パワーＰｗとして、決定する。こうして、ユーザが、データを記録するときのレーザビームＬの最適記録パワーＰｗが決定される。
【０１７０】
以上のように、本実施態様によれば、レーザビームＬのパワーを、推奨記録パワーＰｗ’に設定し、推奨記録パワーＰｗ’に設定されたレーザビームＬを、光記録ディスク１に照射して、光記録ディスク１に、解像限界未満の長さの記録マークおよびブランク領域の少なくとも一方を含む記録マーク列を形成して、テストデータを記録し、レーザビームＬのパワーを、推奨再生パワーＰｒ’に設定し、推奨再生パワーＰｒ’に設定されたレーザビームＬを、光記録ディスク１に照射して、光記録ディスク１に記録されたテストデータを再生し、テストデータを再生して得た再生信号の解像度が基準条件を満たしているか否かを判定し、判定結果に基づいてテストデータを再生するためのレーザビームＬのパワーを変更し、テストデータを再生して得た再生信号の解像度が基準条件を満たすときに、そのレーザビームＬのパワーを、最適再生パワーとして決定するように構成されているから、実際に、光記録ディスク１に記録されたデータを再生するのに先立って、レーザビームＬの再生パワーＰｒを、記録されたデータを再生するのに適したレベルとなるように、所望のように制御することができ、したがって、解像限界未満の長さの記録マークおよびブランク領域が形成されて、光記録ディスク１に記録されたデータを、所望のように、再生することが可能となる。
【０１７１】
また、本実施態様によれば、レーザビームＬのパワーを、推奨記録パワーＰｗ’に設定し、推奨記録パワーＰｗ’に設定されたレーザビームＬを、光記録ディスク１に照射して、光記録ディスク１に、解像限界未満の長さの記録マークおよびブランク領域の少なくとも一方を含む記録マーク列を形成して、テストデータを記録し、レーザビームＬのパワーを、推奨再生パワーＰｒ’に設定し、推奨再生パワーＰｒ’に設定されたレーザビームＬを、光記録ディスク１に照射して、光記録ディスク１に記録されたテストデータを再生し、テストデータを再生して得たベータ値が基準条件を満たしているか否かを判定し、判定結果に基づいてテストデータを記録するためのレーザビームＬのパワーを変更し、テストデータを再生して得たベータ値が基準条件を満たすときに、そのレーザビームＬのパワーを、最適記録パワーとして決定するように構成されているから、光記録ディスク１にデータを記録するのに先立って、レーザビームＬの記録パワーＰｗを、データを記録するのに適したレベルとなるように、所望のように制御することができ、したがって、光記録ディスク１に、所望のように、データを記録することが可能となる。
【実施例１】
【０１７２】
以下のようにして、光記録ディスクサンプル＃１を作製した。
【０１７３】
まず、１．１ｍｍの厚さと１２０ｍｍの直径を有するポリカーボネート基板をスパッタリング装置にセットし、ポリカーボネート基板上に、Ｐｔをターゲットとして、スパッタリング法により、２０ｎｍの厚さを有する反射層を形成した。
【０１７４】
次いで、反射層の表面上に、ＺｎＳとＳｉＯ２の混合物をターゲットとして、スパッタリング法によって、１００ｎｍの厚さを有する第三の誘電体層を形成した。ＺｎＳとＳｉＯ２の混合物ターゲットとしては、ＺｎＳとＳｉＯ２のモル比が８０：２０のターゲットを使用した。
【０１７５】
次いで、第三の誘電体層の表面に、Ａｇ６．０Ｉｎ４．５Ｓｂ６０．８Ｔｅ２８．７の組成を有する合金をターゲットとして、スパッタリング法により、６０ｎｍの厚さを有する光吸収層を形成した。光吸収層の組成は、ターゲット組成と同様、原子比で、Ａｇ６．０Ｉｎ４．５Ｓｂ６０．８Ｔｅ２８．７であった。
【０１７６】
さらに、光吸収層の表面に、ＺｎＳとＳｉＯ２の混合物をターゲットとして、スパッタリング法により、６０ｎｍの厚さを有する第二の誘電体層を形成した。ＺｎＳとＳｉＯ２の混合物ターゲットとしては、ＺｎＳとＳｉＯ２のモル比が８０：２０のターゲットを使用した。
【０１７７】
次いで、Ａｒガスと酸素ガスとの混合ガスをスパッタリングガスとして用い、Ｐｔターゲットを用いて、第二の誘電体層の表面に、スパッタリング法により、白金酸化物を主成分として含み、４ｎｍの厚さを有する分解反応層を形成した。
【０１７８】
さらに、分解反応層の表面に、ＺｎＳとＳｉＯ２の混合物をターゲットとして、スパッタリング法によって、７０ｎｍの厚さを有する第一の誘電体層を形成した。ＺｎＳとＳｉＯ２の混合物ターゲットとしては、ＺｎＳとＳｉＯ２のモル比が８０：２０のターゲットを使用した。
【０１７９】
最後に、アクリル系紫外線硬化性樹脂を、第一の誘電体層の表面に、スピンコーティング法によって、塗布して、塗布層を形成し、塗布層に紫外線を照射して、アクリル系紫外線硬化性樹脂を硬化させ、１００μｍの層厚を有する光透過層を形成した。
【０１８０】
こうして、光記録ディスクサンプル＃１を得た。
【０１８１】
次いで、光記録ディスクサンプル＃１を、レーザビームの波長が４０５ｎｍの光記録媒体評価装置にセットし、レーザビームを、ＮＡ（開口数）が０．８５の対物レンズを介して、光透過層側から、照射して、以下の条件で、記録マークの長さが、解像限界である１２０ｎｍよりも短い７５ｎｍになるように、光記録ディスクサンプル＃１の分解反応層に記録マークを形成した。
【０１８２】
記録線速度：６ｍ／ｓ
記録パワー：８．０ｍＷ
記録方式：オングルーブ記録
記録マークの形成後、同じ光記録媒体評価装置を用いて、３ｍ／ｓの再生線速度で、光記録ディスクサンプル＃１に記録されたデータを再生して、再生信号のＣ／Ｎ比を測定した。ここに、レーザビームの再生パワーは１．２ｍＷに設定した。測定結果は、図１０に示されている。
【０１８３】
次いで、レーザビームの再生パワーを１．２ｍＷから、約０．２ｍＷづつ、増大させ、光記録ディスクサンプル＃１に記録されたデータを再生して、再生信号のＣ／Ｎ比を測定した。
【０１８４】
測定結果は、図１０に示されている。
【０１８５】
図１０から明らかなように、光記録ディスクサンプル＃１に、約１．６ｍＷ以下の再生パワーを有するレーザビームを照射して、光記録ディスクサンプル＃１に記録されたデータを再生した場合には、再生信号のＣ／Ｎ比が０ｄＢで、光記録ディスクサンプル＃１に記録されたデータを再生することができず、光記録ディスクサンプル＃１に照射したレーザビームの再生パワーが、約１．６ｍＷを越えると、再生信号のＣ／Ｎ比が増加し始め、光記録ディスクサンプル＃１に照射したレーザビームの再生パワーが約１．８ｍＷになると、再生信号のＣ／Ｎ比が極大値に達し、光記録ディスクサンプル＃１に照射したレーザビームの再生パワーが約１．８ｍＷを越えると、レーザビームの再生パワーが高くなるにつれて、再生信号のＣ／Ｎ比が低下することが判明した。
【実施例２】
【０１８６】
以下のようにして、光記録ディスクサンプル＃２を作製した。
【０１８７】
まず、０．６ｍｍの厚さと１２０ｍｍの直径を有する光透過性基板を、スパッタリング装置にセットし、光透過性基板上に、ＺｎＳとＳｉＯ２の混合物をターゲットとして、スパッタリング法により、１３０ｎｍの厚さを有する第一の誘電体層を形成した。ＺｎＳとＳｉＯ２の混合物ターゲットとしては、ＺｎＳとＳｉＯ２のモル比が８５：１５のターゲットを使用した。
【０１８８】
次いで、第一の誘電体層の表面に、Ａｒと酸素との混合ガス雰囲気中で、白金を主成分として含むターゲットを、スパッタリングすることにより、Ａｒガスと酸素ガスとの混合ガスをスパッタリングガスとして用い、Ｐｔターゲットを用いて、第一の誘電体層の表面に、スパッタリング法により、白金酸化物を主成分として含み、４ｎｍの厚さを有する分解反応層を形成した。
【０１８９】
次いで、分解反応層の表面に、ＺｎＳとＳｉＯ２の混合物をターゲットとして、スパッタリング法によって、４０ｎｍの厚さを有する第二の誘電体層を形成した。ＺｎＳとＳｉＯ２の混合物ターゲットとしては、ＺｎＳとＳｉＯ２のモル比が８５：１５のターゲットを使用した。
【０１９０】
次いで、第二の誘電体層の表面に、Ａｇ６．０Ｉｎ４．５Ｓｂ６０．８Ｔｅ２８．７の組成を有する合金をターゲットとして、スパッタリング法により、６０ｎｍの厚さを有する光吸収層を形成した。光吸収層の組成は、ターゲット組成と同様、原子比で、Ａｇ６．０Ｉｎ４．５Ｓｂ６０．８Ｔｅ２８．７であった。
【０１９１】
さらに、光吸収層の表面に、ＺｎＳとＳｉＯ２の混合物よりなるターゲットを用いて、スパッタリング法により、１００ｎｍの厚さを有する第三の誘電体層を形成した。ＺｎＳとＳｉＯ２の混合物ターゲットとしては、ＺｎＳとＳｉＯ２のモル比が８５：１５のターゲットを使用した。
【０１９２】
こうして、光記録ディスクサンプル＃２を得た。
【０１９３】
次いで、光記録ディスクサンプル＃２を、レーザビームの波長が６３５ｎｍの光記録媒体評価装置にセットし、レーザビームを、ＮＡ（開口数）が０．６０の対物レンズを介して、光透過層側から、照射して、以下の条件で、記録マークの長さが、解像限界である２６５ｎｍよりも短い２００ｎｍとなるように、光記録ディスクサンプル＃２の分解反応層に記録マークを形成した。
【０１９４】
記録線速度：６ｍ／ｓ
記録パワー：１０．０ｍＷ
記録方式：オングルーブ記録
記録マークの形成後、同じ光記録媒体評価装置を用いて、１ｍ／ｓの再生線速度で、光記録ディスクサンプル＃２に記録されたデータを再生して、再生信号のＣ／Ｎ比を測定した。ここに、レーザビームの再生パワーは０．８ｍＷに設定した。測定結果は、図１１に示されている。
【０１９５】
次いで、レーザビームの再生パワーを０．８ｍＷから、約０．２ｍＷづつ、増大させ、光記録ディスクサンプル＃２に記録されたデータを再生し、再生信号のＣ／Ｎ比を測定した。
【０１９６】
測定結果は、図１１に示されている。
【０１９７】
図１１から明らかなように、光記録ディスクサンプル＃２に、約１．２ｍＷ以下の再生パワーを有するレーザビームを照射して、光記録ディスクサンプル＃２に記録されたデータを再生した場合には、再生信号のＣ／Ｎ比が０ｄＢで、光記録ディスクサンプル＃２に記録されたデータを再生することができず、光記録ディスクサンプル＃２に照射したレーザビームの再生パワーが、約１．２ｍＷを越えると、再生信号のＣ／Ｎ比が増加し始め、光記録ディスクサンプル＃２に照射したレーザビームの再生パワーが約１．６ｍＷになると、再生信号のＣ／Ｎ比が極大値に達し、光記録ディスクサンプル＃１に照射したレーザビームの再生パワーが約１．６ｍＷを越えると、レーザビームの再生パワーが高くなるにつれて、再生信号のＣ／Ｎ比が徐々に低下することが判明した。
【０１９８】
本発明は、以上の実施態様および実施例に限定されることなく、特許請求の範囲に記載された発明の範囲内で種々の変更が可能であり、それらも本発明の範囲内に包含されるものであることはいうまでもない。
【０１９９】
たとえば、前記実施態様においては、テストデータを再生して得た再生信号から、解像度を求め、解像度が基準条件を満たすか否かを判定することによって、再生信号の信号特性が基準条件を満たすか否かを判定しているが、このように構成することは必ずしも必要でなく、テストデータを再生して得た再生信号から求めた解像度以外のパラメータを用いて、再生信号の信号特性が基準条件を満たすか否かを判定することもできる。
【０２００】
また、前記実施形態においては、光記録ディスク１は、レーザビームＬの光入射面から、分解反応層７と、第二の誘電体層６と、光吸収層５とが順に積層されているが、本発明は、かかる構成を有する光記録ディスク１に記録されたデータを再生するために、光記録ディスク１に照射されるレーザビームの再生パワーを決定する場合にのみ、適用されるものではなく、光記録ディスクは、たとえば、レーザビームＬの光入射面の反対側から、分解反応層７と、第二の誘電体層６と、光吸収層５とが順に積層されてもよく、あるいは、レーザビームＬの光入射面から、光吸収層と、誘電体層と、分解反応層と、誘電体層と、光吸収層とが順に積層されてもよく、すなわち、本発明においては、光記録ディスクが、分解反応層と、光吸収層とが、少なくとも誘電体層を挟んで形成された積層体を有していればよい。
【０２０１】
また、前記実施態様においては、光記録ディスク１は、支持基板２の表面上に、反射層３が形成されているが、反射層３は必ずしも必要ではなく、本発明を機能させることができれば、反射層３を省略することが可能である。この場合、第三の誘電体層４は、支持基板２を保護するとともに、その上に形成されている光吸収層５を、保護する機能を果たす。
【０２０２】
さらに、前記実施態様においては、記録再生条件設定用データとして、推奨記録パワーＰｗ’、推奨再生パワーＰｒ’、記録線速度Ｖｗおよび再生線速度Ｖｒが、光記録ディスク１に、ウォブルやプリピットの形で、あらかじめ記録されるように構成されているが、記録再生条件設定用データとして、推奨記録パワーＰｗ’、推奨再生パワーＰｒ’、記録線速度Ｖｗおよび再生線速度Ｖｒが、光記録ディスク１に、ウォブルやプリピットの形で、あらかじめ記録しておくことは必ずしも必要でなく、光記録ディスクの種類を特定するためのＩＤデータが、ウォブルやプリピットの形で、光記録ディスク１に記録されるとともに、データ記録再生装置５０に、ＩＤデータと関連付けて、推奨記録パワーＰｗ’、推奨再生パワーＰｒ’、記録線速度Ｖｗおよび再生線速度Ｖｒが格納されるように構成されていてもよい。
【図面の簡単な説明】
【０２０３】
【図１】図１は、本発明の好ましい実施態様にかかる光記録ディスクの略斜視図である。
【図２】図２は、図１に示された光記録ディスクのトラックに沿った断面のうち、Ａで示される部分の略拡大断面図である。
【図３】図３は、本発明の別の好ましい実施態様にかかる光記録ディスクの略斜視図である。
【図４】図４は、図３に示された光記録ディスクのトラックに沿った断面のうち、Ｂで示される部分の略拡大断面図である。
【図５】図５は、データが記録される前の光記録ディスクの一部拡大略断面図である。
【図６】図６は、データが記録された後の光記録ディスクの一部拡大略断面図である。
【図７】図７は、本発明の好ましい実施態様にかかるデータ記録再生装置のブロックダイアグラムである。
【図８】図８は、レーザビームの最適記録パワーおよび最適再生パワーを決定するレーザビームの記録パワーおよび再生パワーの決定ルーチンを示すフローチャートである。
【図９】図９は、レーザビームの最適記録パワーおよび最適再生パワーを決定するレーザビームの記録パワーおよび再生パワーの別の決定ルーチンを示すフローチャートである。
【図１０】図１０は、光記録ディスクサンプル＃１につき、記録されたデータを再生したときの再生信号のＣ／Ｎ比とレーザビームの再生パワーの関係を示すグラフである。
【図１１】図１１は、光記録ディスクサンプル＃２につき、記録されたデータを再生したときの再生信号のＣ／Ｎ比とレーザビームの再生パワーの関係を示すグラフである。
【符号の説明】
【０２０４】
１  光記録ディスク
２  支持基板
３  反射層
４  第三の誘電体層
５  光吸収層
６  第二の誘電体層
７  分解反応層
８  第一の誘電体層
９  光透過層
１０  光記録ディスク
１２  光透過性基板
１３  厚み調整用基板
５０  データ記録再生装置
５２  スピンドルモータ
５３  ヘッド
５４  コントローラ
５５  レーザ駆動回路
５６  レンズ駆動回路
５７  フォーカスサーボ回路
５８  トラッキングサーボ回路
５９  レーザパワーコントロール回路
【図１】
2005135535.tif 000003
【図２】
2005135535.tif 000004
【図３】
2005135535.tif 000005
【図４】
2005135535.tif 000006
【図５】
2005135535.tif 000007
【図６】
2005135535.tif 000008
【図７】
2005135535.tif 000009
【図８】
2005135535.tif 000010
【図９】
2005135535.tif 000011
【図１０】
2005135535.tif 000012
【図１１】
2005135535.tif 000013